【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  複数の記録ヘッドの少なくとも２つの記録ヘッドは共に同色あるいは同系色の色材を付与できる記録ヘッドである複数の記録ヘッドを使用し、ＲＧＢ各色の画像データを入力して複数の印刷モードのうち指示された印刷モードにしたがった印刷を可能とするカラー出力方法において、
前記画像データを前記複数の記録ヘッド用の画素データに変換する際に、
（１）前記指示された印刷モードによって特定された変換方法が色材付与量の多い記録ヘッドのみを使用した変換方法の場合に、前記記録ヘッドのそれぞれのインクの色相はＲＧＢのうちいずれか２色が最大値をとる色の色相に等しい、とした色変換を実行し、
（２）前記指示された印刷モードによって特定された変換方法が全ての記録ヘッドを使用した変換方法、あるいは色材付与量の多い記録ヘッドを使用しない変換方法の場合に、前記変換手段は、前記記録ヘッドのそれぞれのインクの色相はＲＧＢのうちいずれか２色が最大値をとる色の色相に等しくない色相を有するとした色変換を実行する
ことを特徴とするカラー出力方法。
【請求項２】  大ドットの色材のみを用いる第一のモードでは、一次色再現のため異なった色の色材を混色させない形で出力し、
大ドットの色材と小ドット色材の双方を用いる第二のモードでは、一次色再現のため異なった色の色材を混色させる形で出力する
ことを特徴とする画像処理方法。
【請求項３】  前記第一のモードは、高速モードであり、第二のモードは前記第一のモードより画質の良いモードであることを特徴とする請求項２に記載の画像処理方法。
【請求項４】  前記第一のモードは粒状性の発生を抑止するモードで、前記第二のモードは色合わせるモードであることを特徴とする請求項２に記載の画像処理方法。
【請求項５】  前記色材は、基本色であるＣＭＹ以外の特色であることを特徴とする請求項２に記載の画像処理方法。
【請求項６】  濃色材のみを用いる第一のモードでは、一次色再現のため異なった色の色材を混色させない形で出力し、
濃色材と淡色材の双方を用いる第二のモードでは、一次色再現のため異なった色の色材を混色させる形で出力する
ことを特徴とする画像処理方法。
【請求項７】  前記第一のモードは、高速モードであり、第二のモードは前記第一のモードより画質の良いモードであることを特徴とする請求項６に記載の画像処理方法。
【請求項８】  前記第一のモードは粒状性の発生を抑止するモードで、前記第二のモードは色を合わせるモードであることを特徴とする請求項６に記載の画像処理方法。
【請求項９】  前記濃色材は、ＫＣＭＹであることを特徴とする請求項６に記載の画像処理方法。
【請求項１０】  前記淡色材は、淡シアン、淡マゼンタであることを特徴とする請求項６記載の画像処理方法。
【請求項１１】  大ドットと小ドットを用いて画像形成を行う画像処理方法であって、
高速モード時には、一次色を再現するために第１の色の大ドットを用いて画像形成し、
高画質モード時には、一次色を再現するために、前記第一の色の大ドットに対応する第１の色の小ドットと、前記第１の色の小ドットと異なる第２の色の小ドットを用いて画像形成する
ことを特徴とする画像処理方法。
【請求項１２】  濃色材と淡色材を用いて画像形成を行う画像処理方法であって、
高速モード時には、一次色を再現するために第１の色の前記濃色材を用いて画像形成をし、
高画質モード時には、一次色を再現するために前記第１の前記濃色材に対応する第１の淡色材と、前記の第１の淡色材と異なる第２の淡色材を用いて画像形成をする
ことを特徴とする画像処理方法。
【請求項１３】  大ドットの色材のみを用いる第一のモードでは、一次色再現のため異なった色の色材を混色させない形で出力し、
大ドットの色材と小ドット色材の双方を用いる第二のモードでは、一次色再現のため異なった色の色材を混色させる形で出力する
ことを特徴とする画像処理装置。
【請求項１４】  濃色材のみを用いる第一のモードでは、一次色再現のため異なった色の色材を混色させない形で出力し、
濃色材と前記淡色材の双方を用いる第二のモードでは、一次色再現のため異なった色の色材を混色させる形で出力する
ことを特徴とする画像処理装置。
【請求項１５】  大ドットの色材のみを用いる第一のモードでは、一次色再現のため異なった色の色材を混色させない形で出力するように色変換処理を実行し、
大ドットの色材と小ドット色材の双方を用いる第二のモードでは、一次色再現のため異なった色の色材を混色させる形で出力するように色変換処理を実行する
ことを特徴とするプログラム。
【請求項１６】  濃色材のみを用いる第一のモードでは、一次色再現のため異なった色の色材を混色させない形で出力ように色変換処理を実行し、
濃色材と前記淡色材の双方を用いる第二のモードでは、一次色再現のため異なった色の色材を混色させる形で出力するように色変換処理を実行する
ことを特徴とするプログラム。
【請求項１７】  大ドットと小ドットを用いて画像形成を行う画像処理装置であって、
高速モード時には、一次色を再現するために第１の色の大ドットを用いて画像形成し、
高画質モード時には、一次色を再現するために、前記第一の色の大ドットに対応する第１の色の小ドットと、前記第１の色の小ドットと異なる第２の色の小ドットを用いて画像形成する
ことを特徴とする画像処理装置。
【請求項１８】  濃色材と淡色材を用いて画像形成を行う画像処理装置であって、
高速モード時には、一次色を再現するために第１の色の前記濃色材を用いて画像形成をし、
高画質モード時には、一次色を再現するために前記第１の前記濃色材に対応する第１の淡色材と、前記の第１の淡色材と異なる第２の淡色材を用いて画像形成をする
ことを特徴とする画像処理装置。
【手続補正２】
【補正対象書類名】明細書
【補正対象項目名】０００７
【補正方法】変更
【補正の内容】
【０００７】
【課題を解決するための手段】
本発明は、このような目的を達成するために、請求項１に記載のカラー出力方法の発明は、複数の記録ヘッドの少なくとも２つの記録ヘッドは共に同色あるいは同系色の色材を付与できる記録ヘッドである複数の記録ヘッドを使用し、ＲＧＢ各色の画像データを入力して複数の印刷モードのうち指示された印刷モードにしたがった印刷を可能とするカラー出力方法において、前記画像データを前記複数の記録ヘッド用の画素データに変換する際に、（１）前記指示された印刷モードによって特定された変換方法が色材付与量の多い記録ヘッドのみを使用した変換方法の場合に、前記記録ヘッドのそれぞれのインクの色相はＲＧＢのうちいずれか２色が最大値をとる色の色相に等しい、とした色変換を実行し、（２）前記指示された印刷モードによって特定された変換方法が全ての記録ヘッドを使用した変換方法、あるいは色材付与量の多い記録ヘッドを使用しない変換方法の場合に、前記変換手段は、前記記録ヘッドのそれぞれのインクの色相はＲＧＢのうちいずれか２色が最大値をとる色の色相に等しくない色相を有するとした色変換を実行することを特徴とする。
【手続補正３】
【補正対象書類名】明細書
【補正対象項目名】０００８
【補正方法】変更
【補正の内容】
【０００８】
また、請求項２に記載の発明は、画像処理方法であって、大ドットの色材のみを用いる第一のモードでは、一次色再現のため異なった色の色材を混色させない形で出力し、大ドットの色材と小ドット色材の双方を用いる第二のモードでは、一次色再現のため異なった色の色材を混色させる形で出力することを特徴とする。
また、請求項３の発明は、上述の方法において、前記第一のモードは高速モードであり、第二のモードは前記第一のモードより画質の良いモードであることを特徴とする。また、請求項４の発明は、上述の発明において、前記第一のモードは粒状性の発生を抑止するモードで、前記第二のモードは色合わせるモードであることを特徴とする。また、請求項５に記載の発明は、上述の発明において、前記色材は、基本色であるＣＭＹ以外の特色であることを特徴とする。
【手続補正４】
【補正対象書類名】明細書
【補正対象項目名】０００９
【補正方法】変更
【補正の内容】
【０００９】
また、請求項６に記載の画像処理方法の発明は、濃色材のみを用いる第一のモードでは、一次色再現のため異なった色の色材を混色させない形で出力し、濃色材と淡色材の双方を用いる第二のモードでは、一次色再現のため異なった色の色材を混色させる形で出力することを特徴とする。
また、請求項７の発明は、上述の方法において、前記第一のモードは、高速モードであり、第二のモードは前記第一のモードより画質の良いモードであることを特徴とする。また、請求項８に記載の発明は、上述の方法において、前記第一のモードは粒状性の発生を抑止するモードで、前記第二のモードは色を合わせるモードであることを特徴とする。また、請求項９に記載の発明は、上述の方法において、前記濃色材は、ＫＣＭＹであることを特徴とする。また、請求項１０に記載の発明は、上述の方法において、前記淡色材は、淡シアン、淡マゼンタであることを特徴とする。
【手続補正５】
【補正対象書類名】明細書
【補正対象項目名】００１０
【補正方法】変更
【補正の内容】
【００１０】
また、請求項１１に記載の画像処理方法の発明は、大ドットと小ドットを用いて画像形成を行う画像処理方法であって、高速モード時には、一次色を再現するために第１の色の大ドットを用いて画像形成し、高画質モード時には、一次色を再現するために、前記第一の色の大ドットに対応する第１の色の小ドットと、前記第１の色の小ドットと異なる第２の色の小ドットを用いて画像形成することを特徴とする。
【手続補正６】
【補正対象書類名】明細書
【補正対象項目名】００１１
【補正方法】変更
【補正の内容】
【００１１】
また、請求項１２に記載の画像処理方法の発明は、濃色材と淡色材を用いて画像形成を行う画像処理方法であって、高速モード時には、一次色を再現するために第１の色の前記濃色材を用いて画像形成し、高画質モード時には、一次色を再現するために前記第１の前記濃色材に対応する第１の淡色材と、前記の第１の淡色材と異なる第２の淡色材を用いて画像形成することを特徴とする。
【手続補正７】
【補正対象書類名】明細書
【補正対象項目名】００１２
【補正方法】変更
【補正の内容】
【００１２】
また、請求項１３の画像処理装置の発明は、上述した請求項２の画像処理方法を実行する子とを特徴とするものであり、請求項１４の画像処理装置の発明は、上述の請求項６の画像処理方法を実行することを特徴とするものである。
また、請求項１５に記載のプログラムは、大ドットの色材のみを用いる第一のモードでは、一次色再現のため異なった色の色材を混色させない形で出力するように色変換処理を実行し、大ドットの色材と小ドット色材の双方を用いる第二のモードでは、一次色再現のため異なった色の色材を混色させる形で出力するように色変換処理を実行することを特徴とする。
また、請求項１６に記載のプログラムは、濃色材のみを用いる第一のモードでは、一次色再現のため異なった色の色材を混色させない形で出力ように色変換処理を実行し、濃色材と前記淡色材の双方を用いる第二のモードでは、一次色再現のため異なった色の色材を混色させる形で出力するように色変換処理を実行することを特徴とする。
また、請求項１７に記載の画像処理装置の発明は、上述した請求項１１の方法を実行することを特徴とするものであり、また、請求項１８に記載の画像処理装置の発明は、上述した請求項１２の方法を実行することを特徴とするものである。